(57)【要約】【課題】磁気カード，ＩＣカード，ＩＣタグのような有用情報記録媒体の有する情報を外部から授受して盗む、所謂スキミング犯罪を防止するスキミング防止方法を提供する。【解決手段】有用情報記録媒体の１つであるＩＣカード２の周辺部（例えば、コーナ部）にアルミニウム板材のような導電性材料１を配置することにより情報授受システムが不安定となり妨害され、スキミングを有効に防止することができる。【選択図】図１
2006252395.tif 000002
【特許請求の範囲】
【請求項１】
情報を記録保持し、電流，電磁波，磁界，光等の物理的情報伝達手段により情報を授受する機能を有する磁気カード，ＩＣカード，ＩＣタグのような有価情報記録媒体（以下、媒体という）から、該媒体を所有する主体の意図に反して前記媒体内の情報を取得する所謂スキミングを防止するためのスキミング防止方法であって、該方法は、前記媒体の周辺部に導電性を有する材料（以下、導電性材料という）を配置することを特徴とするスキミング防止方法。
【請求項２】
前記導電性材料が、銅，アルミニウム，銀，ニッケル，鉄を主構成成分とする金属材料又は繊維状の金属材料もしくは繊維状又はシート状に加工した材料、塗料及び前記材料に薄膜材で被包したものからなることを特徴とする請求項１のスキミング防止方法。
【請求項３】
前記導電性材料に代えて、ニッケル，鉄を主構成成分とする磁性を有する金属材料もしくはその他の材料であって、繊維状もしくは繊維状又はシート状に加工した材料、塗料及び前記材料に薄膜材で被包したものからなることを特徴とする請求項１のスキミング防止方法。
【発明の詳細な説明】
【技術分野】
【０００１】
本発明は、磁気カード，ＩＣカード，ＩＣタグのような何らかの情報を記録保持してなる有用情報記録媒体（媒体という）から、その情報を媒体主体の意図に反して取得するスキミング防止方法に係り、特に、簡便，安価に実施できるスキミング防止効果の高いスキミング防止方法に関する。
【背景技術】
【０００２】
クレジットカードなどの情報を不正に読み出して複製したり、キャッシュカードの記録情報を不正に読み出してコピー等を作成して使用する犯罪行為が最近数多く行われている。これ等の行為は所謂スキミングと言われ、その被害度の大きさからこの防止のためのスキミング防止手段や方法が数多く開示されている。例えば、「特許文献１」や「特許文献２」が挙げられる。
【特許文献１】特開平１１−４５３１６号公報（図１）
【特許文献２】特開２００４−１８８２１５号公報（図１）
【発明の開示】
【発明が解決しようとする課題】
【０００３】
「特許文献１」の特開平１１−４５３１６号公報の「ＩＣカードケース及びＩＣカード」は、ＩＣカードの電磁波の誘導を遮断又は減衰されるためにＩＣカードを袋状のＩＣカード内に収納する技術を開示するものである。一方、「特許文献２」の「特開２００４−１８８２１５号公報」の「収納ケース」は、ＩＣカードをすっぽりと収納して電磁波を遮断する収納ケースを開示するものである。
【０００４】
以上の公知技術により、ＩＣカード等の媒体のスキミングは防止されるが、いずれも前記のようにＩＣカード等を袋体等の内部にすっぽり収納する被包形態のものからなる。
【０００５】
しかしながら、有価な情報を記録した媒体であるカード類は、財布等に収納して持ち歩くことが多い。このような状況では、財布等を覆うと共に電磁波，磁界等を遮断する材料を用いて外部からの望まざる影響を遮断することは困難である。即ち、一般に用いられている財布等の形状は、財布にお金を出し入れするために２つ折りや３つ折り等の形状のものからなり、開口部を有することが必須であり、開口部があるということは有価な情報を記録した媒体であるカード類に対して、外部からの望まざる影響をシールドにより遮断することが困難であることを意味する。
【０００６】
従来技術は、媒体からの電磁波を完全に遮断してスキミング防止を行うものであるが、スキミング防止の方法としては媒体から発する電磁波を不安定の状態にし、ノイズを発生させることで十分な機能を発揮すること出来ることがわかった。
【０００７】
本発明は、以上の事情に鑑みて発明されたものであり、電磁波の遮断や減衰のために複雑で取扱い難いスキミング防止手段を用いることなく、媒体が各種の態様で保管，保持されていても、そこからの情報の授受ができないスキミング防止方法を提供することを目的とする。
【課題を解決するための手段】
【０００８】
本発明は、以上の目的を達成するために、請求項１の発明は、情報を記録保持し、電流，電磁波，磁界，光等の物理的情報伝達手段により情報を授受する機能を有する磁気カード，ＩＣカード，ＩＣタグのような有価情報記録媒体（以下、媒体という）から、該媒体を所有する主体の意図に反して前記媒体内の情報を取得する所謂スキミングを防止するためのスキミング防止方法であって、該方法は、前記媒体の周辺部に導電性を有する材料（以下、導電性材料という）を配置することを特徴とする。
【０００９】
また、請求項２の発明は、前記導電性材料が、銅，アルミニウム，銀，ニッケル，鉄を主構成成分とする金属材料又は繊維状の金属材料もしくは繊維状又はシート状に加工した材料、塗料及び前記材料に薄膜材を被包したものからなることを特徴とする。
【００１０】
また、請求項３の発明は、前記導電性材料に代えて、ニッケル，鉄を主構成成分とする磁性を有する金属材料もしくはその他の材料であって、繊維状もしくは繊維状又はシート状に加工した材料、塗料及び前記材料に薄膜材で被包したものからなることを特徴とする。
【発明の効果】
【００１１】
本発明の請求項１の「スキミング防止方法」によれば、媒体の周辺部に情報の授受を妨害する導電性材料を配置するだけで有用情報の授受のシステムを不安定にすることができ、スキミングを完全に防止することができる。即ち、ＩＣカードが例えば、財布等の内部に保管されている場合でも、この財布全体を覆う必要がなく、ＩＣカードの近辺に導電性材料を配置するだけでスキミングが防止される効果が生ずる。
【００１２】
また、本発明の請求項２の「スキミング防止方法」によれば、媒体周辺部に配置される導電性材料の材料が明記され、この材料は特別のものでなく、簡便に、かつ比較的安価に実施することができる効果が上げられる。
【００１３】
また、本発明の請求項３の「スキミング防止方法」によれば、媒体周辺部に配置される導電性材料の材料が明記され、この材料が磁性を有するものであるならば磁界に対して磁界を乱す作用を有するものであることが示され、また、前記材料は特別のものでなく、簡便に、かつ比較的安価に実施することができる効果が上げられる。
【発明を実施するための最良の形態】
【００１４】
以下、本発明のスキミング防止方法の実施の形態を図面を参照して詳述する。
【実施例１】
【００１５】
図１は媒体として裸のＩＣカード２を採用した場合を示す。従来技術ではこのＩＣカード２からの情報の授受を防止するためにはこのＩＣカード２の全体を覆うスキミング防止手段が必要であるが、本発明では図示のように、導電性材料１をＩＣカード２の周辺部、例えば、そのコーナの一部に配置するだけのものからなる。即ち、導電性材料１をＩＣカード２等の媒体のそばに媒体と係合し得る状態で配置するだけでスキミング防止が可能になる。この導電性材料１としては、例えば、図示のようにプレート状の薄肉のアルミニウム板材でよい。このように導電性材料１を配置するだけで、ＩＣカード２からの情報を授受するシステムが不安定となり、結果としてスキミング防止の効果を上げることができる。
【実施例２】
【００１６】
図２は札３とＩＣカード２のような不用情報記録媒体２ａを保管し得る形態の財布４内の前記媒体２ａからの情報の授受を妨害するスキミング防止方法を示したものである。この場合は、例えば、図１に示したアルミニウム板のような導電性材料１を図２（ａ）に示すように財布４内に配置するだけでスキミング防止が行われる。図２（ｂ）はこの導電性材料１が財布４の折り畳み時における内部空間に配置されている場合を示す。この導電性材料１を配置することによりＩＣカード２の情報の授受が行われた場合に反射波が生じ情報授受システムにノイズが生じ情報授受ができなくなる。このように導電性材料１を配置するだけで情報の授受システムを妨害することができスキミング防止効果を上げることができる。
【実施例３】
【００１７】
図３（ａ）は前記と相異する導電性材料を示す。この導電性材料１ａは、例えば、アルミニウム板材を折り畳み可能で、かつ相互間を伸び可能の部材５で連結した２枚つづりにしたものからなる。図３（ｂ）に示すように、導電性材料１ａを２つ折りにしてその間にＩＣカード２を挟み込めばよい。これにより、ＩＣカード２からの情報の授受を妨害することができる。このような導電性材料１ａを用いることにより図３（ｂ）に示す状態で全体を簡単にポケット内に収納することができる。
【００１８】
導電性材料としては前記の各実施例に示す形態及び材質のものに限らず、銅，銀，ニッケル，鉄等の金属材料やこれ等を主構成成分とするものでもよく、また、繊維状又は繊維状又はシート状に加工されたものでもよい。
【産業上の利用可能性】
【００１９】
本発明は、プレート状の導電性材料を用いてこれを媒体の周辺部に配置してスキミング防止を行うものであるが、媒体の形態や種類は任意のものでよく、簡便，安価に実施できるため適用範囲は極めて広い。
【図面の簡単な説明】
【００２０】
【図１】本発明の実施例の１つを示す模式図。
【図２】本発明を財布に適用した場合を示す模式図（ａ），（ｂ）。
【図３】本発明の他の実施例を示す模式図（ａ），（ｂ）。
【符号の説明】
【００２１】
１    導電性材料
１ａ  導電性材料
２    ＩＣカード
２ａ  有用情報記録媒体
３    札
４    財布
５    伸び可能な部材
【図１】
2006252395.tif 000003
【図２】
2006252395.tif 000004
【図３】
2006252395.tif 000005